(57)【要約】【課題】  本発明は、ユーザが現在いる場所での撮影に関し、ユーザに撮影の動機付けを与えることにより撮影した画像を投稿できる手段を提供する。【解決手段】本発明に係る電子機器は、撮像を要求されている被写体に関する情報を少なくとも１つ取得する取得部と、画像データを取得する撮像部と、前記取得部が取得した情報と前記画像データとに基づいて、前記画像データに含まれる被写体の撮像を要求している要求元に関する情報を表示する表示部と、を備える。【選択図】    図２
2018011314.tif 000002
【特許請求の範囲】
【請求項１】
撮像を要求されている被写体に関する情報を少なくとも１つ取得する取得部と、
画像データを取得する撮像部と、
前記取得部が取得した情報と前記画像データとに基づいて、前記画像データに含まれる被写体の撮像を要求している要求元に関する情報を表示する表示部と、
を備える電子機器。
【請求項２】
前記表示部は、前記画像データに含まれる被写体又は前記画像データの構図が変更されると、表示する前記要求元に関する情報を変更する
請求項１に記載の電子機器。
【請求項３】
前記撮像部の方向を検出する検出部を備え、
前記表示部は、前記検出部が検出した前記撮像部の方向によって表示が変わる
請求項１又は請求項２に記載の電子機器。
【請求項４】
前記表示部は、前記要求元に関する情報を複数表示する
請求項１から請求項３の何れか一項に記載の電子機器。
【請求項５】
前記表示部は、前記要求元に関する情報と共に、前記画像データに対する対価に関する情報を表示する
請求項１から請求項４の何れか一項に記載の電子機器。
【請求項６】
前記表示部は、前記要求元毎に前記対価に関する情報を表示する
請求項５に記載の電子機器。
【請求項７】
前記表示部は、前記要求元に関する情報と共に、前記画像データをスルー画像として表示する
請求項１から請求項６の何れか一項に記載の電子機器。
【請求項８】
前記要求元に関する情報は、前記要求元の名称である
請求項１から請求項７の何れか一項に記載の電子機器。
【請求項９】
位置に関する情報を取得する位置情報取得部を備え、
前記取得部は、前記位置に関する情報に基づいて、前記撮像を要求されている被写体に関する情報を取得する
請求項１から請求項８の何れか一項に記載の電子機器。
【請求項１０】
撮像を要求されている被写体に関する情報を少なくとも１つ取得する取得処理と、
画像データを取得する撮像処理と、
前記取得処理により取得した情報と前記画像データとに基づいて、前記画像データに含まれる被写体の撮像を要求している要求元に関する情報を表示する表示処理と、
をコンピュータに実行させるプログラム。
【請求項１１】
前記表示処理は、前記画像データに含まれる被写体又は前記画像データの構図が変更されると、表示する前記要求元に関する情報を変更する
請求項１０に記載のプログラム。
【請求項１２】
前記表示処理は、前記要求元に関する情報と共に、前記画像データに対する対価に関する情報を表示する
請求項１０又は請求項１１に記載のプログラム。
【請求項１３】
前記表示処理は、前記要求元に関する情報と共に、前記画像データをスルー画像として表示する
請求項１０から請求項１２の何れか一項に記載のプログラム。
【請求項１４】
請求項１０から請求項１３の何れか一項に記載のプログラムを実行するカメラ。
【発明の詳細な説明】
【技術分野】
【０００１】
本発明は、電子機器、プログラム及びカメラに関する。
【背景技術】
【０００２】
従来、人工衛星を用いた汎地球測位システム（GPS:Global Positioning System）から位置情報を取得し、観測方向に存在する対象物の名称を表示モニタに表示させる撮像装置が提案されている（例えば、特許文献１参照）。
【先行技術文献】
【特許文献】
【０００３】
【特許文献１】特開２０１０−１２４１８５号公報
【発明の概要】
【発明が解決しようとする課題】
【０００４】
ところで、近年、インターネットの環境において、撮影した画像をユーザに応募形式で投稿してもらい、その投稿された画像と記者が予め執筆した記事とを一緒に掲載するタイプのウェブサイトが増えている。この種のウェブサイトでは、その記事の内容に合う画像をユーザが投稿してくれることを期待している。
【０００５】
しかし、上記の従来技術では、例えば、ユーザが現在いる場所での撮影に関し、ウェブサイトの要求に応じて、ユーザが撮影の動機付けを得て撮影した画像を投稿するといった点について考慮されていない。
【０００６】
そこで、本発明は、上記事情に鑑み、ユーザが現在いる場所での撮影に関し、ユーザに撮影の動機付けを与えることにより撮影した画像を投稿できる手段を提供することを目的とする。
【課題を解決するための手段】
【０００７】
本発明に係る電子機器は、撮像を要求されている被写体に関する情報を少なくとも１つ取得する取得部と、画像データを取得する撮像部と、前記取得部が取得した情報と前記画像データとに基づいて、前記画像データに含まれる被写体の撮像を要求している要求元に関する情報を表示する表示部と、を備える。
【０００８】
本発明に係るプログラムは、撮像を要求されている被写体に関する情報を少なくとも１つ取得する取得処理と、画像データを取得する撮像処理と、前記取得処理により取得した情報と前記画像データとに基づいて、前記画像データに含まれる被写体の撮像を要求している要求元に関する情報を表示する表示処理と、コンピュータに実行させるものである。
【０００９】
本発明に係るカメラは、上述したプログラムを実行するものである。
【発明の効果】
【００１０】
本発明によれば、ユーザが現在いる場所での撮影に関し、ユーザに撮影の動機付けを与え、撮影した画像を投稿できる手段を提供できる。
【図面の簡単な説明】
【００１１】
【図１】本発明の一実施形態の通信システムの一例を示す構成図
【図２】電子カメラ１の構成例を説明するブロック図
【図３】図２に示す電子カメラ１の背面図
【図４】サーバＳ１の構成例を説明するブロック図
【図５】募集写真情報のデータベースの一例を説明する図
【図６】通信システム１００の動作の一例を示すシーケンス図
【図７】表示制御部２１ｄによるコンテンツの表示態様の制御例を説明する図
【図８】撮影処理の一例を説明する図
【図９】第１変形例を説明する図
【図１０】第２変形例を説明する図
【図１１】第３変形例を説明する図
【図１２】第４変形例を説明する図
【図１３】静止画像に動画像を紐付ける例を説明する図
【発明を実施するための形態】
【００１２】
以下、図面に基づいて本発明の実施の形態を詳細に説明する。
【００１３】
図１は、本発明の一実施形態の通信システム１００の全体構成図である。通信システム１００は、本発明の撮像装置の一実施形態である電子カメラ１と、インターネット網４１等の通信網を介して、電子カメラ１と通信を行う複数のサーバＳ１〜Ｓｎを備える。なお、サーバの数は、特に限定されず、少なくとも１台あれば良い。
【００１４】
また、通信システム１００では、電子カメラ１に位置情報を提供するＧＰＳ衛星３１を利用する。さらに、通信システム１００では、電子カメラ１とインターネット網４１とを無線で接続する無線ＬＡＮ（Local Area Network）４０をアクセスポイントとして利用する。以下、電子カメラ１及びサーバＳ１の構成について具体的に説明する。なお、サーバＳ１以外のサーバについても機能は同様とし、以下の説明ではサーバＳ１を代表して説明する。
【００１５】
＜電子カメラ１＞
図２は、電子カメラ１の構成例を説明するブロック図である。ここで、電子カメラ１は、画像をウェブサイトに投稿するための投稿モードの機能を有している。投稿モードでは、ユーザが現在いる場所での撮影に関し、ウェブサイトの要求に応じてユーザが撮影した画像（写真）を、そのウェブサイトに投稿することができる（詳細は後述する）。
【００１６】
電子カメラ１は、図２に示す通り撮像光学系１０と、撮像部１１と、ＲＡＭ（Random Access Memory）１２と、画像処理部１３と、フラッシュメモリ１４と、表示モニタ１５と、記録インターフェース部（以下「記録Ｉ／Ｆ部」という）１６と、通信インターフェース部（以下「通信Ｉ／Ｆ部」という）１７と、ＧＰＳ受信機１８と、レリーズ釦１９と、操作部２０と、ＣＰＵ（Central Processing Unit）２１と、データバス２２とを備える。
【００１７】
このうちＲＡＭ１２、画像処理部１３、フラッシュメモリ１４、表示モニタ１５、記録Ｉ／Ｆ部１６、通信Ｉ／Ｆ部１７及びＣＰＵ２１は、データバス２２を介して互いに接続されている。また、ＧＰＳ受信機１８、レリーズ釦１９及び操作部２０は、ＣＰＵ２１に接続されている。
【００１８】
撮像光学系１０は、ズームレンズとフォーカスレンズとを含む複数のレンズ群で構成されている。なお、簡単のため、図２では、撮像光学系１０を１枚のレンズとして図示する。撮像部１１は、被写体の像を撮像して画像データを生成する。撮像部１１は、例えば、撮像素子と、アナログフロントエンド（ＡＦＥ）回路と、Ａ／Ｄ変換部と、デジタルフロントエンド（ＤＦＥ）回路とを有している。撮像素子は、例えばＣＣＤ（Charge Coupled Device）型のカラーイメージセンサである。なお、撮像素子は、ＣＭＯＳ（Complementary Metal-Oxide Semiconductor）型のカラーイメージセンサであっても良い。
【００１９】
ＡＦＥ回路は、撮像素子が出力する画像信号に対してアナログ信号処理を施す。Ａ／Ｄ変換部は、アナログの画像信号をデジタルの画像信号に変換する。ＤＦＥ回路は、Ａ／Ｄ変換後の画像信号にデジタル信号処理を施す。なお、撮像部１１が出力する画像信号は、画像データとしてＲＡＭ１２に一時的に記録される。ＲＡＭ１２は、バッファメモリの機能を有し、画像データを一時的に記録する。また、ＲＡＭ１２は、後述するコンテンツのデータを一時的に記録する。さらに、ＲＡＭ１２は、ＣＰＵ２１の処理の過程で生成した画像データ等を一時的に記録する。
【００２０】
画像処理部１３は、ＲＡＭ１２に記録されている画像データを読み出し、各種の画像処理（例えば、輪郭強調処理、色補間処理等）を施す。また、画像処理部１３は、画像データを例えばＪＰＥＧ（Joint Photographic Experts Group）形式等で圧縮する処理や、圧縮された画像データを伸長復元する処理をも実行する。
【００２１】
フラッシュメモリ１４は、不揮発性のメモリであって、例えば、電子カメラ１の制御を行うプログラムを予め記憶している。表示モニタ１５は、例えば液晶のモニタである。また、表示モニタ１５は、ＣＰＵ２１の指示に応じて、例えば画像や電子カメラ１の操作メニュー等を表示する。
【００２２】
記録Ｉ／Ｆ部１６は、データの書き込みや読み出しのインターフェースを提供する。記録Ｉ／Ｆ部１６には、着脱自在の記録媒体３０を接続するためのコネクタ（不図示）が形成されている。そして、記録Ｉ／Ｆ部１６は、例えば、そのコネクタに接続された記録媒体３０にアクセスして画像の記録処理を行う。記録媒体３０は、一例として、不揮発性のメモリカードである。図２では、コネクタに接続された後の記録媒体３０を示している。通信Ｉ／Ｆ部１７は、無線ＬＡＮ４０経由でインターネット網４１を介してサーバＳ１と通信を行う通信インターフェースを提供する。
【００２３】
ＧＰＳ受信機１８は、ＧＰＳ衛星３１からの電波をＧＰＳアンテナ（不図示）により受信して、位置情報（経度、緯度、方位等）を取得する。レリーズ釦１９は、半押し操作の指示入力と全押し操作（撮像動作開始）との指示入力とを受け付ける。操作部２０は、ユーザからの指示入力の操作を受け付ける。
【００２４】
図３は、図２に示す電子カメラ１の背面図である。表示モニタ１５は、電子カメラ１の筐体の背面に備えられている。また、操作部２０は、広角ズーム釦２０ａと、望遠ズーム釦２０ｂと、モード選択釦２０ｃと、メニュー釦２０ｄと、選択・決定釦２０ｅと、電源釦２３とを含む。
【００２５】
広角ズーム釦２０ａは、焦点距離を広角側に変更し、望遠ズーム釦２０ｂは、焦点距離を望遠側に変更する。モード選択釦２０ｃは、撮影モード若しくは再生モードに切り替える操作をユーザから受け付ける。メニュー釦２０ｄは、メニュー画面を立ち上げるための操作をユーザから受け付ける。選択・決定釦２０ｅは、電子カメラ１の操作メニューにおける設定条件等の項目選択又は項目決定をユーザから受け付ける。ここで、選択・決定釦２０ｅは、決定釦２０ｆとダイヤル２０ｇとを有する。ダイヤル２０ｇの全体形状は、環状であって、ダイヤル２０ｇの内周側には決定釦２０ｆが配置されている。そして、ダイヤル２０ｇは、例えばメニュー画面等での項目選択の入力をユーザから受け付ける。また、決定釦２０ｆは、メニュー画面等での項目決定の入力をユーザから受け付ける。例えば、投稿モードでは、送信の開始する操作が決定釦２０ｆに割り当てられている。また、レリーズ釦１９と電源釦２３とは、図３に示す通り、電子カメラ１の筐体の上面に備えられている。
【００２６】
再び、図２の説明に戻り、ＣＰＵ２１は、各種演算及び電子カメラ１の制御を行うプロセッサである。ＣＰＵ２１は、フラッシュメモリ１４に予め格納されたシーケンスプログラムを実行することにより、電子カメラ１の各部の制御等を行う。また、ＣＰＵ２１は、第１送信処理部２１ａと、受信処理部２１ｂと、第２送信処理部２１ｃと、表示制御部２１ｄとしても機能する。
【００２７】
第１送信処理部２１ａは、位置情報に基づいて撮影に関するコンテンツを抽出するサーバＳ１に、位置情報をインターネット網４１を介して送信する。具体的には、第１送信処理部２１ａは、ＧＰＳ受信機１８が受信した位置情報を、無線ＬＡＮ４０経由でインターネット網４１を介してサーバＳ１に送信する。なお、本実施形態では、電子カメラ１とサーバＳ１との間の通信において、データの送受信に関する通信プロトコル等は、例えばＨＴＴＰ（Hyper Text Transfer Protocol）等の公知の手段を適用することとする。そのため、通信プロトコル等の詳細については説明を省略する。
【００２８】
受信処理部２１ｂは、サーバＳ１が抽出したコンテンツをインターネット網４１を介して受信する。具体的には、受信処理部２１ｂは、サーバＳ１が抽出したコンテンツのデータをインターネット網４１を介して無線ＬＡＮ４０経由で受信し、ＲＡＭ１２に一時的に記録する処理を行う。
【００２９】
第２送信処理部２１ｃは、表示モニタ１５に表示されたコンテンツに基づいて決定された構図で撮像部１１が生成した画像データを、インターネット網４１を介して指定された送信先に送信する。具体的には、第２送信処理部２１ｃは、例えば記録媒体３０に記録された画像データを無線ＬＡＮ４０経由でインターネット網４１を介してサーバＳ１に送信する処理を行う。表示制御部２１ｄは、表示モニタ１５に表示させるコンテンツの表示態様を制御する（詳細は後述する）。
【００３０】
＜サーバＳ１＞
図４は、サーバＳ１の構成例を説明するブロック図である。サーバＳ１は、ＷＷＷ（World Wide Web）による情報送信機能を持ったソフトウエアを有し、ＨＴＭＬ（HyperText Markup Language）文書や画像などの情報を蓄積する。また、サーバＳ１は、外部からの要求に応じて、ネットワークを通じてこれらの情報を送信する機能を有する。さらに、サーバＳ１は、例えば、観光情報、地域情報等を提供するウェブサイトとして動作する。なお、通信システム１００において、サーバＳ１は、地域情報などの記事中で使用する挿入用の写真（画像）をインターネット上で募集する機能と、ユーザからの写真の投稿を受け付ける機能とを備える。また、サーバＳ１は、例えば、複数のウェブサイトを格納しても良い。或いは、サーバＳ１は、ポータルサイトとしてのインデックス情報をまとめた検索サーバであっても良い。
【００３１】
ここで、サーバＳ１は、ハードディスク装置５１と、表示部５２と、入出力インターフェース部（以下「入出力Ｉ／Ｆ部」という）５３と、サーバ用通信インターフェース部（以下「サーバ用通信Ｉ／Ｆ部」という）５４と、操作部５５と、サーバ用ＣＰＵ５６と、データバス５７とを備える。
【００３２】
このうち、ハードディスク装置５１と、表示部５２と、入出力Ｉ／Ｆ部５３、サーバ用通信Ｉ／Ｆ部５４及びサーバ用ＣＰＵ５６は、データバス５７を介して互いに接続されている。
【００３３】
ハードディスク装置５１は、サーバ用ＣＰＵ５６が実行する制御プログラムを格納する。また、ハードディスク装置５１は、写真の募集及び投稿に係るアプリケーションプログラムやそれらのプログラムの実行に必要となる各種のデータ等を格納する。さらに、ハードディスク装置５１は、電子地図情報をデータベースとして格納する。
【００３４】
なお、サーバＳ１の初期時には、アプリケーションプログラム、各種のデータ、電子地図情報等は、ＤＶＤ（Digital Versatile Disc）やＣＤ（Compact Disc）などの記録媒体（不図示）に記録されている。そして、操作者が例えばインストール指示を行った場合、アプリケーションプログラム、各種のデータ、電子地図情報等は、サーバ用ＣＰＵ５６により記録媒体から読み出されてハードディスク装置５１へ格納される。
【００３５】
また、ハードディスク装置５１は、その内部に設けられた所定のディレクトリ又はフォルダに、操作者（編集者）によって作成又は編集された地域情報等の記事やユーザによって投稿された写真、また、後述の募集写真情報のデータベース等を格納する。
【００３６】
表示部５２は、例えば液晶のモニタである。入出力Ｉ／Ｆ部５３は、ＵＳＢ（Universal Serial Bus）等の規格に基づくインターフェースである。なお、入出力Ｉ／Ｆ部５３には、例えば、ＤＶＤレコーダ装置（不図示）がＵＳＢを介して接続される。そして、ＤＶＤやＣＤの記録媒体に記憶されたプログラム等は、入出力Ｉ／Ｆ部５３を介してハードディスク装置５１へ読み込まれる。
【００３７】
サーバ用通信Ｉ／Ｆ部５４は、サーバＳ１をインターネット網４１に接続するためのインターフェースを提供する。
【００３８】
操作部５５は、キーボードやマウス等、サーバ用ＣＰＵ５６に対して操作者が指示を行うための各種の入力デバイスを含んでいる。操作者（この場合、ウェブサイトの運用管理者や、同サイトの記事の編集者等）は、これらの入力デバイスを操作することで、サーバ用ＣＰＵ５６に対して、例えば、地域情報等の記事の作成やその記事のウェブサイトへの掲載といった各種の指示を行うことができる。なお、操作者は、パーソナルコンピュータ等の通信端末（不図示）からインターネット網４１を介してサーバＳ１にアクセスしても良い。
【００３９】
サーバ用ＣＰＵ５６は、ハードディスク装置５１に予め格納された制御プログラムを実行することで、サーバＳ１の各部を統括制御する。また、サーバ用ＣＰＵ５６は、サーバ用受信処理部５６ａと、データベース作成部５６ｂと、抽出部５６ｃと、サーバ用送信処理部５６ｄとしても機能する。
【００４０】
サーバ用受信処理部５６ａは、位置情報をインターネット網４１を介して受信する。具体的には、サーバ用受信処理部５６ａは、インターネット網４１を介して電子カメラ１から送信されてきた位置情報を、サーバ用通信Ｉ／Ｆ部５４を経由して受信する。そして、サーバ用受信処理部５６ａは、位置情報を検索条件として読み出す。
【００４１】
データベース作成部５６ｂは、写真（画像）の募集内容（募集写真情報）を管理するデータベースを作成する。具体的には、データベース作成部５６ｂは、特願２００９−１０６４１７に記載された募集写真情報の作成処理に基づいて、データベースを作成する。
【００４２】
図５は、募集写真情報のデータベースの一例を説明する図である。募集写真情報は、コンテンツの一例であって、操作者（編集者）が地域情報等の記事を作成した場合、データベース作成部５６ｂがその記事に基づいて作成する情報である。この募集写真情報は、ハードディスク装置５１内のデータベース５１ａで管理される。
【００４３】
具体例として、地域情報を掲載するウェブサイトの編集者が、例えば「・・・明治神宮外苑付近はイベントがないときは静かで気が落ち着く場所である。逆にスポーツなどのイベントがあるときは応援などで非常に盛り上がる。また外苑の銀杏並木が秋に見せる黄葉は素晴らしく、晴れたときは・・・」という記事を作成したとする。
【００４４】
この場合、データベース作成部５６ｂは、この記事の中から、地域を示すキーワード（地域キーワード）の「明治神宮外苑」と、被写体を示すキーワード（被写体キーワード）の「銀杏」を抽出する。なお、地域キーワードと被写体キーワードとは、操作者がサーバＳ１に辞書データベースとして予め登録する情報である。つまり、データベース作成部５６ｂは、予め登録された地域キーワードや被写体キーワードに基づいてマッチング処理を行うことにより、記事の中から、地域キーワードと被写体キーワードとを抽出する。なお、操作者が、記事の中から地域キーワードや被写体キーワードとなる語句を指定するようにしても良い。
【００４５】
そして、データベース作成部５６ｂは、抽出したキーワードを、図５の例のように紐付けてデータベース５１ａに登録する。この登録により、データベース作成部５６ｂは、写真の募集内容（募集写真情報）として、「明治神宮外苑」地域で「銀杏（イチョウ）」を被写体とする写真を募集している内容のコンテンツを管理する。
【００４６】
また、データベース作成部５６ｂは、抽出した被写体キーワードの「銀杏（イチョウ）」の特徴を示すパラメータを上記の記事の中から抽出する。そして、データベース作成部５６ｂは、その抽出したパラメータをデータベース５１ａの被写体キーワードの「銀杏（イチョウ）」に対応したレコードに登録する。
【００４７】
図５において、データベース作成部５６ｂは、例えば、色、質感、シーン、形状という４つのパラメータをデータベース５１ａに登録する。
【００４８】
データベース作成部５６ｂは、色のパラメータを登録する場合、先ず、記事中の「秋に見せる黄葉」の部分から「秋」及び「黄葉」のキーワード（２つ）を抽出する。続いて、データベース作成部５６ｂは、キーワードに基づいて、例えば、ＲＧＢカラーコードの「#ECC977」をパラメータとして登録する。
【００４９】
また、データベース作成部５６ｂは、質感のパラメータを登録する場合、先ず、記事中の「秋に見せる黄葉は素晴らしく、晴れたときは」の部分から「秋」、「黄葉」、「晴れ」のキーワード（３つ）を抽出する。続いて、データベース作成部５６ｂは、キーワードに基づいて、例えば、「光沢、柔らかい」という単語を質感パラメータＡとして登録する。
【００５０】
また、データベース作成部５６ｂは、シーンのパラメータを登録する場合、「秋に見せる黄葉は素晴らしく、晴れたときは」の部分から「秋」及び「晴れ」のキーワード（３つ）を抽出する。続いて、データベース作成部５６ｂは、キーワードに基づいて、例えば、「色温度」や「（色温度に対応した）ホワイトバランス値」をシーンパラメータＢとして登録する。
【００５１】
また、データベース作成部５６ｂは、形状のパラメータを登録する場合、記事中の「外苑の銀杏並木が秋に見せる黄葉」の部分から「並木」、「秋」、「黄葉」のキーワード（３つ）を抽出する。続いて、データベース作成部５６ｂは、キーワードに基づいて、例えば、「木が１本以上，葉が茂っている（まだ落葉していない）」という情報を登録する。
【００５２】
なお、データベース作成部５６ｂが抽出するキーワードと、キーワードに対応して決定される各パラメータ（色、質感、シーン、形状）の情報とは、操作者がサーバＳ１に予め登録する情報である。
【００５３】
この被写体キーワードの特徴を示すパラメータの登録により、募集内容（募集写真情報）として、上記のような色、質感、シーン、形状を条件とする「銀杏（イチョウ）」の写真を募集していることが管理されるようになる。
【００５４】
抽出部５６ｃは、位置情報に基づいて、コンテンツをデータベース５１ａから抽出する。具体的には、抽出部５６ｃは、電子地図情報のデータベース（不図示）を参照し、位置情報から、地図上の場所を特定する。そして、抽出部５６ｃは、データベース５１ａを参照し、位置情報に基づいて、地域キーワードを抽出する。例えば、抽出部５６ｃは、位置情報から半径１ｋｍ以内に地域キーワードの位置が含まれているか否かを判定し、地域キーワードを抽出する。さらに、抽出部５６ｃは、地域キーワードに紐付けられている被写体キーワードの情報を抽出する。抽出部５６ｃが抽出した情報は、本実施形態のコンテンツの一例である。
【００５５】
サーバ用送信処理部５６ｄは、コンテンツをインターネット網４１を介して電子カメラ１に送信する。具体的には、サーバ用送信処理部５６ｄは、サーバ用通信Ｉ／Ｆ部５４に指示を出してコンテンツのデータを送信させる。コンテンツのデータは、インターネット網４１を介して電子カメラ１に送信される。
【００５６】
次に、本実施形態における通信システム１００の動作の一例を説明する。
【００５７】
図６は、通信システム１００の動作の一例を示すシーケンス図である。ここでは、一例として、電子カメラ１とサーバＳ１との間のシーケンスを説明する。なお、サーバＳ１は、常時稼働していることとする。電子カメラ１側では、電源がオンされた後、図２に示す操作部２０が投稿モードの指示入力を受け付けた場合、ＣＰＵ２１は、図６に示す電子カメラ１側のフローの処理を開始させる。
【００５８】
ステップＳ１０１：ＣＰＵ２１は、位置情報の取得処理を開始する。具体的には、ＣＰＵ２１は、ＧＰＳ受信機１８を介して、位置情報を取得する。
【００５９】
ステップＳ１０２：ＣＰＵ２１の第１送信処理部２１ａは、位置情報の送信処理を行う。具体的には、第１送信処理部２１ａは、ＧＰＳ受信機１８が受信した位置情報を、無線ＬＡＮ４０経由でインターネット網４１を介してサーバＳ１に送信する。なお、図６のシーケンスには示していないが、第１送信処理部２１ａは、位置情報をサーバＳ１に送信する前に、サーバＳ１側にシーケンス開始のコマンド要求を通信Ｉ／Ｆ部１７を介して送信する。これにより、サーバＳ１側のフロー処理がサーバ用ＣＰＵ５６の制御により開始される。
【００６０】
ステップＳ２０１：サーバＳ１のサーバ用受信処理部５６ａは、位置情報の受信処理を行う。具体的には、サーバ用受信処理部５６ａは、サーバ用通信Ｉ／Ｆ部５４を介して、位置情報を検索条件として受け付ける。
【００６１】
ステップＳ２０２：サーバＳ１の抽出部５６ｃは、コンテンツの抽出処理を行う。具体的には、抽出部５６ｃは、電子地図情報のデータベースを参照し、位置情報から、地図上の場所を特定する。そして、抽出部５６ｃは、例えば、図５に示すデータベース５１ａを参照し、位置情報に基づいて、地域キーワードを抽出する。さらに、抽出部５６ｃは、地域キーワードに紐付けられている被写体キーワードの情報を抽出する。
【００６２】
ステップＳ２０３：サーバＳ１のサーバ用送信処理部５６ｄは、コンテンツの送信処理を行う。具体的には、サーバ用送信処理部５６ｄは、コンテンツのデータを、インターネット網４１を介して電子カメラ１に送信する。そして、再び、電子カメラ１側の処理に移行する。
【００６３】
ステップＳ１０３：ＣＰＵ２１の受信処理部２１ｂは、コンテンツの受信処理を行う。具体的には、受信処理部２１ｂは、サーバＳ１が抽出したコンテンツのデータをインターネット網４１を介して無線ＬＡＮ４０経由で受信し、ＲＡＭ１２に一時的に記録する処理を行う。
【００６４】
ステップＳ１０４：ＣＰＵ２１の表示制御部２１ｄは、コンテンツの表示処理を行う。この場合、表示制御部２１ｄは、表示モニタ１５に表示させるコンテンツの表示態様を制御する。具体例を以下に説明する。
【００６５】
図７は、表示制御部２１ｄによるコンテンツの表示態様の制御例を説明する図である。先ず、ＣＰＵ２１は、コンテンツから、ユーザの現在位置の付近で要求される被写体の存在する場所として地域キーワードを読み出す。続いて、表示制御部２１ｄは、地域キーワードの一覧を表示モニタ１５に表示させる。図７（ａ）は、地域キーワードの一覧表示の一例である。
【００６６】
ここで、ＣＰＵ２１は、操作部２０を介して、ユーザからの地域キーワードの選択入力を受け付ける。そして、ＣＰＵ２１は、地域キーワードが選択された場合、その場所で求められている被写体の情報をコンテンツから読み出す。そして、表示制御部２１ｄは、選択された場所の付近で要求される被写体の一覧を表示モニタ１５に表示させる。図７（ｂ）は、被写体の一覧表示の一例である。図７（ｂ）の場合、表示制御部２１ｄは、選択された場所（国立競技場）に対して、被写体として、例えば、国立競技場、銀杏並木、映画館を選択肢として表示モニタ１５に表示させる。この際、表示制御部２１ｄは、各々の被写体を要求しているウェブサイトの数を表示モニタ１５に表示させても良い。
【００６７】
続いて、ＣＰＵ２１は、操作部２０を介して、ユーザからの被写体の選択入力を受け付ける。そして、表示制御部２１ｄは、被写体を要求するウェブサイトの一覧を表示モニタ１５に表示させる。図７（ｃ）は、被写体を要求するウェブサイトの一覧表示の一例である。例えば、各ウェブサイトが、投稿した場合の対価としてポイント付与の制度を採用している場合、ＣＰＵ２１は、コンテンツから各ウェブサイトのポイントを読み出す。そして、表示制御部２１ｄは、図７（ｃ）に示す通り、各ウェブサイトのポイントも併せて表示モニタ１５に表示させても良い。そして、ＣＰＵ２１は、ステップＳ１０５の処理に移行する。
【００６８】
ステップＳ１０５：ＣＰＵ２１は、ユーザからのレリーズ釦１９の押下により、撮影処理を行う。具体的な、撮影処理の流れの一例を以下に説明する。
【００６９】
図８は、撮影処理の一例を説明する図である。表示制御部２１ｄは、ステップＳ１０４の処理の後、表示モニタ１５にスルー画像を表示させると共に上記のウェブサイトの一覧表示を重畳表示させる。これにより、ユーザは、国立競技場近くの銀杏並木で、スルー画像を見ながら被写体の構図を決定するための操作を行うことができる。
【００７０】
ここで、ＣＰＵ２１は、特願２００９−１０６４１７に記載された被写体検出処理を行っても良い。ＣＰＵ２１が、被写体検出処理により「銀杏」のパラメータと一致する被写体を検出した場合、表示制御部２１ｄは、被写体を囲む枠を表示モニタ１５に表示させる。例えば、表示制御部２１ｄは、被写体（銀杏）を囲む枠Ｗ１、Ｗ２を赤色の点線枠で強調表示させても良い。これにより、図８（ａ）に示す通り、ユーザは、銀杏の被写体をウェブサイトが募集している写真であることを認識できる。
【００７１】
そして、ＣＰＵ２１は、レリーズ釦１９による全押し操作の指示入力を受け付けると、撮影を行う。具体的には、ＣＰＵ２１は、全押し操作の指示入力に応答して、撮像部１１の撮像素子を駆動する。撮像部１１は、画像信号のゲイン調整やＡ／Ｄ変換等を行う。この撮像部１１が出力する画像信号は、ＲＡＭ１２に画像データとして一旦記録される。画像処理部１３は、ＲＡＭ１２に記録されている画像データを読み出し、各種の画像処理（階調変換処理、輪郭強調処理、ホワイトバランス処理等）を施す。ＣＰＵ２１は、画像データを記録媒体３０に記録する。
【００７２】
ステップＳ１０６：ＣＰＵ２１の第２送信処理部２１ｃは、画像データの送信処理を行う。具体的には、先ず、ＣＰＵ２１は、操作部２０を介して、投稿（送信）先のウェブサイトの選択入力を受け付ける。なお、説明の便宜上、画像データの送信先のウェブサイトがサーバＳ１に格納されていることとする。また、投稿先のウェブサイトの選択についてはユーザ入力に限られず、ＣＰＵ２１は、投稿先のウェブサイトとして、例えば、ポイントの１番高いウェブサイトを選択するようにしても良い。
【００７３】
続いて、第２送信処理部２１ｃは、記録媒体３０に記録された画像データを無線ＬＡＮ４０経由でインターネット網４１を介してサーバＳ１に送信する処理を行う。表示制御部２１ｄは、図８（ｂ）に示す通り、送信が終了したウェブサイトについて、表示モニタ１５に「送信済」の表示をさせる。これにより、重複送信を防ぐことができる。そして、ＣＰＵ２１は、フローの処理を終了させる。そして、再び、サーバＳ１側の処理に移行する。
【００７４】
ステップＳ２０４：サーバ用受信処理部５６ａは、画像データの受信処理を行う。具体的には、サーバ用受信処理部５６ａは、サーバ用通信Ｉ／Ｆ部５４に指示を出すことにより、電子カメラ１から送信されてきた画像データを、インターネット網４１を介して受信する。
【００７５】
ステップＳ２０５：サーバ用ＣＰＵ５６は、画像のアップロードを行う。具体的には、サーバ用ＣＰＵ５６は、指定されたウェブサイトの挿入箇所に写真（画像）を挿入する。そして、サーバ用ＣＰＵ５６は、フローの処理を終了させる。
【００７６】
以上より、本実施形態によれば、ユーザは、現在いる場所での撮影に関し、例えば、被写体の写真を募集している複数のサーバ（ウェブサイト）を知ることができる。これにより、ユーザは、表示モニタ１５に表示された例えば複数のウェブサイト名を比較することができ、撮影する画像に相応しい投稿先のウェブサイトを選択できる。したがって、本実施形態では、ユーザに撮影の動機付けを与えることができる。また、本実施形態では、撮影した画像を特定のウェブサイトに投稿できる手段を提供できる。
【００７７】
（第１変形例）
次に、本実施形態の第１変形例について説明する。第１変形例において、表示制御部２１ｄは、表示モニタ１５にスルー画像と共に、コンテンツ（文章）を表示させても良い。
【００７８】
図９は、第１変形例を説明する図である。ＣＰＵ２１は、操作部２０を介して、例えば、ウェブサイトＡのコンテンツ表示の指示入力を受け付ける。この場合、表示制御部２１ｄは、表示モニタ１５にスルー画像と共に、コンテンツを表示させる。なお、表示モニタ１５にコンテンツの全文が表示できない場合、表示制御部２１ｄは、被写体キーワード（例えば銀杏）のある箇所の部分を表示させても良く、さらに、強調表示させても良い。これにより、ユーザは、操作部２０を介して、例えば図８（ａ）に示すメニュー画面と図９に示す文章を表示する画面とを行き来して、ウェブサイト毎にコンテンツの表示を切り替えることができる。
【００７９】
以上より、ユーザは、ウェブサイト毎にコンテンツ（文章）を比較することができ、撮影する画像に相応しい投稿先のウェブサイトを選択できる。そのため、第１変形例では、ユーザに撮影の動機付けをさらに与えることができる。
【００８０】
（第２変形例）
次に、本実施形態の第２変形例について説明する。第２変形例において、表示制御部２１ｄは、送信先であるウェブサイトの表示態様を示すレイアウト（デザイン）を表示モニタ１５に表示させる。
【００８１】
図１０は、第２変形例を説明する図である。表示制御部２１ｄは、例えば表示モニタ１５にウェブサイトのホームページのレイアウト表示をさせる。そして、表示制御部２１ｄは、画像が挿入される箇所に、スルー画像を表示させるようにしても良い。
【００８２】
以上より、ユーザは、例えば、これから撮影する画像を投稿する場合、投稿先のホームページ上で写真（画像）が挿入される箇所を直感的に知ることができる。そのため、第２変形例では、ユーザに撮影の動機付けをさらに与えることができる。
【００８３】
（第３変形例）
次に、本実施形態の第３変形例について説明する。第３変形例において、表示制御部２１ｄは、構図が変更されるに伴い、コンテンツに基づいて、コンテンツが推奨する構図の条件に合うウェブサイトの名称を表示モニタ１５に表示させる。
【００８４】
具体的には、ＣＰＵ２１は、上記の被写体検出処理により、スルー画像内で被写体を検出する。そして、ＣＰＵ２１は、被写体がスルー画像内に占める占有率を計算する。さらに、ＣＰＵ２１は、ＧＰＳ受信機１８を介して、撮像光学系１０の光軸に基づいて、電子カメラ１の向ける方角を検出する。一方、サーバＳ１は、被写体の画像内に占める占有率や電子カメラ１の向ける方角等の構図情報をコンテンツの一部として、電子カメラ１に送信する。ＣＰＵ２１は、計算した占有率や検出した方角と、構図情報とを比較する。そして、表示制御部２１ｄは、ＣＰＵ２１の比較結果から、コンテンツが推奨する構図の条件に合うウェブサイトの名称を表示モニタ１５に表示させる。
【００８５】
図１１は、第３変形例を説明する図である。図１１（ａ）では、表示制御部２１ｄは、例えば、２本の銀杏の木の構図を求めているウェブサイトの名称を表示モニタ１５に表示させる。また、図１１（ｂ）では、表示制御部２１ｄは、例えば、３本の銀杏の木の構図を求めているウェブサイトの名称を表示モニタ１５に表示させる。また、図１１（ｃ）では、表示制御部２１ｄは、例えば、道路に沿う銀杏並木の構図を求めているウェブサイトの名称を表示モニタ１５に表示させる。
【００８６】
以上より、第３変形例では、ユーザは、電子カメラの構図を変更するだけで、その構図を求めているウェブサイトの名称を知ることができる。そのため、第３変形例では、ユーザに撮影の動機付けをさらに与えることができる。
【００８７】
（第４変形例）
次に、本実施形態の第４変形例について説明する。第４変形例において、表示制御部２１ｄは、コンテンツが推奨する構図を案内するガイド表示を表示モニタ１５に表示させる。
【００８８】
具体的には、ＣＰＵ２１は、変形例３と同様、上記の被写体検出処理により、スルー画像内で被写体を検出する。そして、ＣＰＵ２１は、被写体がスルー画像内に占める占有率を計算する。さらに、ＣＰＵ２１は、ＧＰＳ受信機１８を介して電子カメラ１の向ける方角を検出する。ＣＰＵ２１は、例えば、計算した占有率や検出した方角と、構図情報とを比較する。そして、表示制御部２１ｄは、ＣＰＵ２１の比較結果から、コンテンツが推奨する構図を案内するガイド表示を表示モニタ１５に表示させる。
【００８９】
図１２は、第４変形例を説明する図である。例えば、ＣＰＵ２１は、被写体がスルー画像内に占める第１の占有率と、コンテンツが推奨する構図における被写体の画像内に占める第２の占有率を比較する。ＣＰＵ２１が第１の占有率が第２の占有率に足りないと判定した場合、表示制御部２１ｄは、例えば、「ズームで被写体をアップにして下さい。」等のガイド表示を表示モニタ１５に表示させる（図１２（ａ）参照）。
【００９０】
ここで、望遠ズーム釦２０ｂにより焦点距離が望遠側に変更されるに従って、ＣＰＵ２１は、第１の占有率と第２の占有率とを比較する。そして、ＣＰＵ２１が第１の占有率と第２の占有率との差分が予め設定した閾値内になったと判定した場合、表示制御部２１ｄは、コンテンツが推奨する構図の条件に合うウェブサイトの名称を表示モニタ１５に表示させる（図１２（ｂ）参照）。
【００９１】
以上より、第４変形例では、ユーザは、コンテンツが推奨する構図を案内するガイド表示に従って、その構図に設定することができる。そして、その構図を求めているウェブサイトの名称を知ることができる。そのため、第４変形例でも、ユーザに撮影の動機付けをさらに与えることができる。
【００９２】
＜実施形態の補足事項＞
（１）上記実施形態では、撮影の際におけるスルー画像に適用して説明したが、撮影した静止画像に対して適用しても良い。また、電子カメラ１の第２送信処理部２１ｃは、静止画像に動画像を紐付けた画像データを、指定されたウェブサイトに送信しても良い。具体例を以下に述べる。なお、ここでは、指定されたウェブサイトが、静止画像及び動画像を求めていることとする。
【００９３】
図１３は、静止画像に動画像を紐付ける例を説明する図である。図１３（ａ）では、静止画像がユーザにより撮影された後の状態を表している。ここで、表示制御部２１ｄは、表示モニタ１５に「黄葉も深まり、銀杏の落ち葉が風に吹かれて舞う景色は、風情が漂う」という文を表示させる。ユーザは、この文を読むことにより、目の前で銀杏の落ち葉が風に吹かれて舞っている光景を見た場合、動画像を撮影したいという動機付けが得られやすくなる。
【００９４】
そして、ＣＰＵ２１は、ユーザの操作により、銀杏の落ち葉が風に吹かれて舞う動画像を記録する処理を行う。図１３（ｂ）では、動画像がユーザにより撮影されている状態を表している。そして、ＣＰＵ２１は、動画像の撮影後、図１３（ａ）に示す静止画像に動画像を紐付ける。そして、第２送信処理部２１ｃは、静止画像に動画像を紐付けた画像データを、指定されたウェブサイトに送信する。これにより、指定されたウェブサイト側では、例えば、ホームページ上で、ユーザが、投稿された写真（画像）をマウスでクリックすると動画像が再生されるようにしても良い。
【００９５】
（２）上記実施形態では、送信した画像について、「送信済」を表示モニタ１５に表示させるようにした。ここで、表示制御部２１ｄは、送信済みの画像を他のサイトに送信できないようにするため（重複投稿の防止）、送信した画像の一覧を表示モニタ１５に表示し、既に登録済の画像をユーザに知らせるようにしても良い。
【００９６】
（３）上記実施形態において、ＣＰＵ２１は、撮影した画像毎の類似度を判定するようにしても良い。例えば、ＣＰＵ２１は、画像の輝度分布を解析することにより、画像の類似度を判定する。これにより、ＣＰＵ２１が既に投稿した画像に類似している画像であると判定した場合、表示制御部２１ｄは、例えば、表示モニタ１５に「投稿済」と表示させても良い。
【００９７】
（４）上記実施形態では、例えば、ウェブサイト毎にポイントを表示モニタ１５に表示した。ここで、写真を投稿したユーザに対して、報酬（課金）やポイントを付与する仕組みとした場合、表示制御部２１ｄは、表示モニタ１５に金額を表示させるようにしても良い。
【００９８】
（５）上記実施形態において、サーバＳ１は、電子カメラ１にコンテンツを送信する際、各被写体の投稿状況も併せて送信するようにしても良い。
【００９９】
（６）上記実施形態において、サーバＳ１は、撮影場所を偽る等の不正行為や匿名での投稿を排除するため、ユーザ登録やＧＰＳによるユーザの場所の限定等のフィルタ機能で管理するようにしても良い。
【０１００】
（７）上記実施形態において、表示制御部２１ｄは、地域キーワードの一覧を表示モニタ１５に表示させたが、複数のサーバ（ウェブサイト）から送信されてきたコンテンツに対して、複数の地域キーワードの地点を例えば目印で電子地図上に表示させるようにしても良い。また、ＣＰＵ２１は、ユーザの現在位置から各々の地域キーワードの地点までの距離を計算しても良い。これにより、表示制御部２１ｄは、各々の地域キーワードの地点を巡る最短のルートを表示モニタ１５に表示させても良い。
【０１０１】
（８）上記実施形態では、本発明の撮像装置として、電子カメラ１について説明した。しかし、本発明は、上記実施形態に限定されない。本発明の撮像装置は、無線通信機能を有する電子機器として、例えば、ウェブカメラ付きコンピュータ、カメラ付き携帯電話であっても良い。なお、カメラ付き携帯電話の場合には、携帯電話の中継基地局を介してインターネット網４１と接続することとする。
【０１０２】
また、本発明の撮像装置は、上述した被写体検出処理に基づいて、被写体キーワードに合致する画像を検索するアプリーケーション用ソフトウエア（ブラウザソフト）をさらに適用しても良い。このブラウザソフトは、例えば、ウェブカメラ付きコンピュータ内に保存されている画像の中から、被写体キーワードに合致する画像を検索し、検索条件に合う画像をサーバＳ１に送信しても良い。
【符号の説明】
【０１０３】
１・・・電子カメラ、１１・・・撮像部、１８・・・ＧＰＳ受信機、２１ａ・・・第１送信処理部、２１ｂ・・・受信処理部、２１ｃ・・・第２送信処理部、５６ａ・・・サーバ用受信処理部、５６ｃ・・・抽出部、５６ｄ・・・サーバ用送信処理部、１００・・・通信システム
【図１】
2018011314.tif 000003
【図２】
2018011314.tif 000004
【図３】
2018011314.tif 000005
【図４】
2018011314.tif 000006
【図５】
2018011314.tif 000007
【図６】
2018011314.tif 000008
【図７】
2018011314.tif 000009
【図８】
2018011314.tif 000010
【図９】
2018011314.tif 000011
【図１０】
2018011314.tif 000012
【図１１】
2018011314.tif 000013
【図１２】
2018011314.tif 000014
【図１３】
2018011314.tif 000015